(57)【要約】【課題】止水機能を向上させることが可能な外壁パネルの目地部シール構造を提供する。【解決手段】目地部に形成されたシール溝２に、溝深さ方向に積層させて第１のシーリング材及び第２のシーリング材が充填されて１次シール４及び２次シール６が形成される。上記第１のシーリング材と第２のシーリング材との間には、塩ビ製のチャンネル材からなるセパレータ５を介挿することで、１次シール４との間に排水通路となる空間７が形成される。【選択図】        図１
2004263425.tif 000002
【特許請求の範囲】
【請求項１】
目地部に形成されたシール溝に対し、溝深さ方向に積層させて第１のシーリング材及び第２のシーリング材が充填されると共に、当該第１のシーリング材と第２のシーリング材との間にセパレータが介挿されて構成され、上記セパレータと、上記２つのシーリング材のうち少なくとも一方のシーリング材との間に、上記シール溝の延在方向に延びる空間が形成されていることを特徴とする外壁パネルの目地部シール構造。
【請求項２】
上記セパレータは断面コ字状の部材であることを特徴とする請求項１に記載した外壁パネルの目地部シール構造。
【発明の詳細な説明】
【０００１】
【発明の属する技術分野】
本発明は、外壁パネル間の目地をシールする目地部シール構造に係り、特に、ＡＬＣパネル間の目地シールに好適な目地部シール構造に関する。
【０００２】
【従来の技術】
外壁パネルの目地部シール構造としては、従来、例えば先行技術文献１や先行技術文献２に記載されているものがある。
先行技術文献１に記載のシール構造は、目地部に形成された断面コ字状のシール溝に、バックアップ材とゴム状シーリング材とを充填したものである。
また、先行技術文献２に記載のシール構造は、目地部に形成された断面コ字状のシール溝に、吸水膨潤性の乾式シーリング材と、湿式シーリング材とを充填したものである。
【０００３】
【特許文献１】
特開２００１−３４２６９２号公報
【特許文献２】
特開平１１−３２４１４８号公報
【０００４】
【発明が解決しようとする課題】
上記外壁パネルとしてＡＬＣパネルを考えると、ＡＬＣ自体の止水機能が高くなく、引っ張り強度も低い。このため、シーリング目地周りにクラックが生じると、内部漏水の原因となる。
このことは、上記先行技術文献２のように、水に最初に触れる一次側のシール（乾式シーリング材）と、２次シール（乾式シーリング材）との単なる２層構造を使用したとしても、１次シールが経年劣化や浸透してきた雨水などで止水機能が弱くなると、建物の外側から１次シール位置を通過して侵入してきた雨水が、当該１次シールと２次シールとの間に溜まり、当該貯留した水によって２次シールの止水機能が早期に劣化するおそれがある。
【０００５】
上記のような問題は、特に、塩害地域や寒冷地域などの気候条件の厳しい地域で発生しやすい。
本発明は、上記のような点を解決するためになされたものであり、止水機能を向上させることが可能な外壁パネルの目地部シール構造を提供することを課題としている。
【０００６】
【課題を解決するための手段】
上記課題を解決するために、本発明のうち請求項１に記載した発明は、目地部に形成されたシール溝に対し、溝深さ方向に積層させて第１のシーリング材及び第２のシーリング材が充填されると共に、当該第１のシーリング材と第２のシーリング材との間にセパレータが介挿されて構成され、上記セパレータと、上記２つのシーリング材のうち少なくとも一方のシーリング材との間に、上記シール溝の延在方向に延びる空間が形成されていることを特徴とする外壁パネルの目地部シール構造を提供するものである。
【０００７】
本発明によれば、万一、１次シール側のシーリング材位置を通過して雨水が浸入したとしても、上記空間で形成される排水通路によって排水される結果、１次シールと２次シールとの間に雨水が貯留することによる二次側のシールの劣化が防止される。
また、セパレータによって第１のシーリング材と第２のシーリング材とが区画される。
【０００８】
ここで、上記セパレータの形状を、上記一方のシーリング材側に凹部を有する形状としたり、当該一方のシーリング材との間の空間を確保する立ち上がり部を、セパレータ本体から上記一方のシーリング材に向けて突出させたりすることで、上記排水通路となる空間は確保できる。
次に、請求項２に記載した発明は、請求項１に記載した構成に対し、上記セパレータは、断面コ字状の部材であることを特徴とするものである。
【０００９】
本発明によれば、セパレータにおける一対の足部（フランジ部）によって、フランジ側のシーリング材との間に、確実に上記排水通路となる空間を確保可能となる。
なお、上記断面コ字状からなるセパレータの一対の足部（フランジ部）の先端は、上記シーリング材の面に当接させても良いし、当接していなくても良い。但し、当接させることで安定して上記空間を確保することができる。
【００１０】
【発明の実施の形態】
次に、本発明の実施形態について図面を参照しつつ説明する。
図１は縦目地に採用したシール構造を説明する断面図、図２は横目地に採用したシール構造を説明する断面図、図３は４つのパネル間に形成される目地の交差部を示す平面図、図４は本実施形態のセパレータを示す部分斜視図である。
【００１１】
まず、構成について説明すると、外壁パネルであるＡＬＣパネル１が外壁面に沿って複数枚、配置され、各ＡＬＣパネル１は、それぞれ建物の架構を構成する不図示の鉄骨等に支持されている。
ここで、左右で対向する上記ＡＬＣパネル１間の目地は、板厚方向に沿って、図１に示すような、実はぎ状の突き合わせ形状となっている。つまり、一方のパネル端面に形成した凸部（実）を他方のパネルに形成した溝部に嵌め込むようにして接合されて、板厚方向にラビリンス状の目地が形成される。
【００１２】
また、上記パネル端面を加工する際に、室内側位置に断面コ字状のシール溝２が形成されるように、目地形状を加工しておく。これによって、隣り合うＡＬＣパネル１間の縦目地８に、上下方向に延びる断面コ字状のシール溝２が形成される（図１参照）。
そのシール溝２に対し、溝深さ方向に、第１のシーリング材、セパレータ５、及び第２のシーリング材の順に積層されてシール構造が形成される。
【００１３】
ここで、本実施形態のセパレータ５は、塩ビ製のチェンネル材から構成される。そのセパレータ５を構成するチャンネル材は、一対のフランジ５ｂとウェブ５ａによって、１次シール４側に開口した凹部が形成されていると共に、縦目地に沿って延びるように配置されることで、シール溝２の延在方向（縦目地方向）に延びる空間７が形成可能となっている。
【００１４】
また、上記第１のシーリング材及び第２のシーリング材としては、アクリル系、ポリウレタン系、変成シリコーン系など公知のシーリング材が使用される。なお、第１のシーリング材と第２のシーリング材の種類は同じ材料でも良いし、異なっていても良い。例えば、第１のシーリング材にポリウレタン系や変成シリコーン系を使用して、第２のシーリング材にアクリル系を使用するなどしても構わない。
【００１５】
そのシール構造の施工について説明すると、上記縦目地８のシール溝２に対し、溝底面にボンドブレーカ３を貼り付けた後に、第１のシーリング材を充填して１次シール４を形成する。第１のシーリング材が固まったら、その上に上記セパレータ５を設定する。このとき、セパレータ５は、一対のフランジ５ｂ先端部が上記１次シール４の面に当接するようにして配置する。一対のフランジ５ｂ先端が当接することで確実に上記排水通路用の空間７が確保される。
【００１６】
次に、セパレータ５のウェブ５ａの上に第２のシーリング材を充填して２次シール６を形成する。このとき、セパレータ５のウェブ５ａが壁となって、セパレータ５と１次シール４との間の空間７に、充填する第２のシーリング材の流れ込みが防止される。
また、上下のパネル１間に形成される横目地９の建物内側位置にも、図２に示すように、上記縦目地部と同様なシール構造が採用される。
【００１７】
すなわち、まず、目地にバックアップ材１０を充填してシール溝２の底を形成した後に、上記縦目地と同様に、第１のシーリング材を充填して１次シール４を形成する。第１のシーリング材が固まったら、その上に上記セパレータ１５を設定する。このとき、セパレータ１５は、一対のフランジ１５ｂ先端部が上記１次シール４の面に当接するようにして配置する。次に、セパレータ１５のウェブ１５ａの上に第２のシーリング材を充填して２次シール６を形成する。このとき、セパレータ１５のウェブ１５ａが壁となって、セパレータ１５と１次シール４との間の空間７にシーリング材が流れ込むことが防止される。
【００１８】
上記説明では、本願発明に基づく目地部シール構造を、縦目地８及び横目地９の両方の目地部に採用しているが、一方の目地部だけに本願発明のシール構造を採用しても構わない。
上述のように縦目地８と横目地９の両方に、本願発明の目地シール構造を採用すると、図３の符号Ａ部の位置で、縦目地８と横目地９の交差部分で縦に延びるセパレータ５と横に延びるセパレータ１５とが交差することとなる。これに鑑みて、本実施形態では、図４に示すように、各セパレータ５，１５における交差部Ａに位置するフランジ５ｂ、１５ｂ部分を切り欠いて切欠き部５ｃ、１５ｃを形成しておくことで、縦に延びるセパレータ５により確保される空間７と、横に延びるセパレータ１５により確保される空間７とが連通するようにしている。図４に示す構造では、２本のセパレータ５，１５を、互いに相手の切欠き部５ｃ、１５ｃに嵌め込むように組み合せて、縦に延びるセパレータ５のウェブ５ａと、横に延びるセパレータ１５のウェブ１５ａを前後に重ねて配置する場合を例示している。図４では、縦に延びるセパレータ５の方が手前側にあるので、横目地９側のセパレータ１５を設置してから縦目地８側のセパレータ５を設置することとなる。
【００１９】
ここで、図４に示す例では、横目地９と縦目地８の交差部Ａを跨るように縦目地側セパレータ５及び横目地側セパレータ１５の両方が配置されているが、これに限定されない。例えば、縦目地側セパレータ５だけは上記交差部Ａを跨るように配置するが、横目地側セパレータ１５は、セパレータ１５同士を、上記交差部Ａで上記縦目地側セパレータ５を介して連結するように配置する。つまり、２本の横目地側セパレータ１５の端部を、それぞれ上記縦目地側セパレータ５に形成したフランジ５ｂの切欠き部５ｃに、左右からそれぞれ個別に当接若しくは少しだけ差し込んだ状態で配置する。
【００２０】
上記構成の目地シール構造では、セパレータ５，１５によって、１次シール４と２次シール６とが区画されると共に、１次シール４と２次シール６との間にシール溝の延在方向（目地方向）に延びる排水通路が形成される。このため、建物の外側に位置する１次シール４が劣化などによって、万一、当該１次シール４の止水性能が劣化することが発生し、雨水が当該１次シール４を通過して２次シール６側に移動しようとしても、当該雨水は、上記排水通路７によって排水されて、１次シール４と２次シール６との間に雨水が貯留することが防止される。この結果、２次シール６が、貯留した水によって劣化することが防止される。そして、２次シール６によって室内側への漏水が阻止される。
【００２１】
このように、雨水に触れやすい１次シール４の止水性に劣化が発生しても、上記排水通路７に内部漏水が防止される結果、目地部シール構造への信頼性が向上する。
ここで、上記実施形態は、シール溝２を建物の内側寄りに配置した場合の例であるため、セパレータ５，１５の開口（フランジ５ｂの先端部側）を、シール溝２の底側（建物の外側）に向けて配置しているが、シール溝２を建物の外側寄りに配置した場合には、セパレータ５，１５の開口（フランジ５ｂの先端部側）をシール溝２の開口側（建物の外側）に向けて配置する。すなわち、セパレータ５，１５は、当該セパレータ５，１５の開口が建物の外側つまり雨水の浸入側に向けて配置する。
【００２２】
なお、セパレータ５，１５の開口が第２のシーリング材側に向くときには、例えば、セパレータ５，１５と第２のシーリングとの間にシート状のバックアップ材を配置して、第２のシーリング材の充填作業によって、セパレータ５，１５内の空間７が埋まらないようにする。
また、上記実施形態では、シール溝２の形状を断面略コ字状の場合を例示しているが、シール溝２の形状は断面コ字状に限定されない。
【００２３】
また、適宜、上記シール構造と併用して、バックアップ材や３層目のシーリング材などを追加しても良い。
また、本実施形態では、加工の容易性などを考慮して、セパレータ５，１５の素材を塩ビとしているが、別の材料からセパレータ５，１５が構成されていても良い。
【００２４】
また、上記実施形態では、セパレータ５，１５としてチャンネル材を例示しているが、これに限定されない。第１シールと第２シールとの間に排水用の通路となる空間７が確保可能であれば、他の形状のセパレータであっても良い。図５に、他の形状のセパレータ５を例示する。要は、少なくとも１次シール４側に凹部が形成される形状であれば良い。図５中、符号２０はシート状のバックアップ材を示す。
また、上記実施形態では、外壁パネルとしてＡＬＣパネル１を例示しているが、他の外壁パネルであっても適用可能である。
【００２５】
【発明の効果】
以上説明してきたように、本発明の目地部シール構造を採用すると、万一、１次シールの止水機能が低下して当該１次シールを通過する水があったとしても、その水は空間を通じて排水されて当該水から２次シールが保護される結果、長期にわたって目地部のシール機能が確保可能となる。
【図面の簡単な説明】
【図１】本発明に基づく実施形態に係る縦目地に採用したシール構造を説明する断面図である。
【図２】本発明に基づく実施形態に係る横目地に採用したシール構造を説明する断面図である。
【図３】４つのパネル間に形成される十字状の目地を示す平面図である。
【図４】本発明に基づく実施形態に係る目地交差部におけるセパレータ形状を示す部分斜視図である。
【図５】本発明に基づく実施形態に係る別の例のセパレータ形状を示す断面図である。
【符号の説明】
１    ＡＬＣパネル（外壁パネル）
２    シール溝
３    ボンドブレーカ
４    １次シール材
５、１５
セパレータ
６    ２次シール材
７    空間（排水通路）
８    縦目地
９    横目地
１０、２０  バックアップ材
Ａ    目地の交差部
【図１】
2004263425.tif 000003
【図２】
2004263425.tif 000004
【図３】
2004263425.tif 000005
【図４】
2004263425.tif 000006
【図５】
2004263425.tif 000007